(57)【要約】【課題】受信機本体の設置場所に応じて、受信機本体の入力又は出力条件を自動的に設定する。【解決手段】受信機ユニットは、台座であるクレードル2と、該クレードル2に着脱自在に取り付けられる受信機本体4を具えている。クレードル2には、設置場所に応じて夫々異なる電圧を供給する場所判定用端子3が設けられ、受信機本体4には、場所判定用端子3から供給された電圧に応じて、受信機本体4の設置場所を判断し、受信機本体4を設置場所に応じた入力又は出力条件に設定する制御マイコン7が設けられている。【選択図】    図５
2005101786.tif 000002
【特許請求の範囲】
【請求項１】
クレードル(２)と、該クレードル(２)に着脱自在に取り付けられる受信機本体(４)を具えた受信機ユニットに於いて、
クレードル(２)には、設置場所に応じて夫々異なる電圧を供給する場所判定用端子(３)が設けられ、受信機本体(４)には、場所判定用端子(３)から供給された電圧に応じて、受信機本体(４)の設置場所を判断し、受信機本体(４)を設置場所に応じた入力又は出力条件に設定する制御手段が設けられたことを特徴とする受信機ユニット。
【請求項２】
制御手段には、動作プログラムが格納され、クレードル(２)(２a)は、エンドユーザ用とプログラム書換え用の少なくとも２種類が設けられ、
プログラム書換え用のクレードル(２a)には、プログラム書換え端子(６)が設けられ、
制御手段は、場所判定用端子(３)からの給電圧とプログラム書換え端子(６)からの給電圧との論理積をとることにより、プログラム書き換えの是非を判断する機能を具えている請求項１に記載の受信機ユニット。
【請求項３】
受信機本体(４)には、識別番号である個別ＩＤが付されており、クレードル(２b)には個別ＩＤ書込み用のものがあり、
受信機本体(４)内にて、プログラム書換え端子(６)が嵌まる嵌合端子(５)には、個別ＩＤ書込み用のクレードル(２b)の端子が選択的に嵌まる請求項２に記載の受信機ユニット。
【発明の詳細な説明】
【技術分野】
【０００１】
本発明は、クレードルと、該クレードルに着脱自在に取り付けられる受信機本体を具えた受信機ユニットに関する。
【背景技術】
【０００２】
従来から、音声情報又は映像情報を主情報として、これに文字情報等が多重されたデジタルラジオ放送が提案されている(例えば、非特許文献１参照)。音声情報又は映像情報はデジタル圧縮されて、人工衛星から又は地上波にて送信されており、受信機にてこれを伸長して視聴する。デジタルラジオ放送は一般に有料放送であり、各受信機には個別のＩＤが付されている。放送受信を希望するエンドユーザは各受信機に付された個別のＩＤを、放送を提供する会社に送り、該放送会社は個別のＩＤを確認後、エンドユーザに視聴を許可する。
斯種受信機には、受信機本体(４)をクレードル(２)と呼ばれる台座に着脱自在に取り付けて使用するものがある(例えば、特許文献１参照)。図６は、従来のクレードル(２)と受信機本体(４)を具えた受信機ユニット(１)の斜視図である。クレードル(２)には、電源(28)やパーソナルコンピュータ(29)が接続可能であり、受信機本体(４)はクレードル(２)を介して電源供給されることが可能であり、またパーソナルコンピュータ(29)を介してインターネット上のサーバから所定情報をダウンロードできる。受信機本体(４)をクレードル(２)から外して、別のクレードル(２)に装着しても、放送を視聴できる。例えば、部屋に１つのクレードル(２)を設置し、車両に別のクレードル(２)を設置すれば、１つの受信機本体(４)を各クレードル(２)(２)に着脱することにより、部屋内と移動車両内の両方で、デジタルラジオ放送を視聴できる。受信機本体(４)には、受信可能な放送の中から好みに応じて、幾つかのチャンネルをプリセットすることができる。
【非特許文献１】兼六館出版  「放送技術」２００３年３月号(６１頁から７０頁)
【特許文献１】特開２００１−２６８００７号(要約書)
【発明の開示】
【発明が解決しようとする課題】
【０００３】
車両内と部屋内にて、選択的に視聴する場合には、アンプやスピーカ等の再生装置の特性差により、音声信号の出力レベルが異なる場合がある。従来にあっては、受信機本体(４)を移動させる毎に、エンドユーザが使用場所に応じた音声出力レベルを手入力で、受信機本体(４)に記憶させていたから、非常に手間が掛かっていた。また、受信機本体(４)の使用場所によって、各チャンネルに記憶させておきたい放送内容が異なる場合もある。更に、車両内と部屋内では、受信状況によって、受信機本体(４)に入力される受信信号のレベルが異なることもある。
本発明の目的は、受信機本体(４)の設置場所に応じて、受信機本体(４)の入力又は出力条件を自動的に設定することにある。
【課題を解決するための手段】
【０００４】
クレードル(２)には、設置場所に応じて夫々異なる電圧を供給する場所判定用端子(３)が設けられ、受信機本体(４)には、場所判定用端子(３)から供給された電圧に応じて、受信機本体(４)の設置場所を判断し、受信機本体(４)を設置場所に応じた入力又は出力条件に設定する制御手段が設けられている。
制御手段には、動作プログラムが格納され、クレードル(２)(２a)は、エンドユーザ用とプログラム書換え用の少なくとも２種類が設けられ、プログラム書換え用のクレードル(２a)には、プログラム書換え端子(６)が設けられ、
制御手段は、場所判定用端子(３)からの給電圧とプログラム書換え端子(６)からの給電圧との論理積をとることにより、プログラム書き換えの是非を判断する機能を具えている。
受信機本体(４)内にて、プログラム書換え端子(６)が嵌まる嵌合端子(５)には、個別ＩＤ書込み用のクレードル(２b)の端子が選択的に嵌まる。
【発明の効果】
【０００５】
１．本発明の受信機ユニットにあっては、場所判定用端子(３)の電圧をチェックすることにより、受信機本体(４)の設置場所に応じて、受信機本体(４)の入力又は出力条件が自動的に設定される。従って、使い勝手がよくなる。
２．制御手段は、場所判定用端子(３)からの給電圧とプログラム書換え端子(６)からの給電圧との論理積をとることにより、プログラム書き換えの是非を判断する。このようにして、安全策を講じ、制御手段内の動作プログラムが不用意に書き換えられる虞れを防いでいる。
３．プログラム書換え端子(６)が嵌まる嵌合端子(５)には、個別ＩＤ書込み用のクレードル(２b)の端子が選択的に嵌まる。これにより、受信機本体(４)及びクレードル(２)(２b)の端子の本数を少なくできる。即ち、個別ＩＤ書込み用のクレードル(２b)の端子が嵌まる端子を、嵌合端子(５)とは別に設けると、端子数が増えるが、本発明ではこの虞れはない。端子の本数が多いと、両コネクタ(20)(50)の挿脱時に摩擦抵抗が大きく、挿脱作業が面倒になるが、本例では端子の本数を減らすことにより、かかる挿脱作業性を改善している。
【発明を実施するための最良の形態】
【０００６】
以下、本発明の一例を図を用いて詳述する。
本例では、デジタルラジオ放送の受信機を例示する。デジタルラジオ放送にあっては、放送波は音声信号又は映像信号に文字情報を重畳しており、音声信号又は映像信号は圧縮されて、人工衛星又は地上局から送信される。この地上局からの放送波は、高層物の隙間等の人工衛星からの放送波が届きにくい場所に、放送波を補助的に送信する所謂ギャップフィラーとして用いられることが多い。
デジタルラジオ放送のチャンネル(ｃｈ)は、現在約１００以上あり、チャンネルには夫々専門の音楽カテゴリを有するものがある。例えば、１０ｃｈはクラシック専門のチャンネルであり、２０ｃｈはジャズ専門のチャンネルであることが挙げられる。本例に於ける受信機は、米国シリウス社(Sirius Satelite Radio Inc)のデジタルラジオ放送に対応したものであり、受信機は該シリウス社の要求する仕様、規格を満たしている必要がある。しかし、シリウス社以外のデジタルラジオ放送に対応した受信機でも、本例の技術的思想は適用できる。
デジタルラジオ放送では、放送波が短時間遮断されても、受信情報を復元できるように、送信側で放送信号を並び替えて送信し、受信側で元の順番に戻す誤り訂正が施される。これをデインターリーブと呼ぶ。また、人工衛星からはＴＤＭ１、ＴＤＭ２と呼ばれる２つのデジタル放送波が送信され、一方の放送波は他方の放送波よりも４秒進んでいる。受信側で進んでいる放送波を４秒遅延させて、他方の放送波及び地上波と重ね、この点でも受信信号の欠落を防ぎ、誤り訂正を施している。
【０００７】
図１は、受信機本体(４)とクレードル(２)を具えた受信機ユニット(１)の斜視図であり、図２、図３とは図１とは別のクレードル(２a)(２b)の斜視図である。クレードル(２)(２a)(２b)は設置場所に応じて、異なる種類があり、具体的には後記の如く、屋内用のクレードル(２)、車載用のクレードル(２)、制御プログラム書換え用のクレードル(２a)、個別ＩＤ書込み用のクレードル(２b)の４種類がある。このうち、一般のエンドユーザが用いるのは、屋内用と車載用のクレードル(２)であり、個別ＩＤ書込み用、制御プログラム書換え用のクレードル(２b)(２a)を用いるのは、受信機本体(４)及びクレードル(２b)(２a)のメーカー又は修理者である。後記の如く、車載用のクレードル(２)と、屋内用のクレードル(２)とでは、受信機本体(４)に給電する電圧が異なる。
受信機本体(４)には、受信した文字情報がスクロールされる、即ち文字情報が一側部から他側部に向けて流れるディスプレイ(40)及び操作釦群が設けられる。操作釦群内には、電源釦(41)、複数、具体的には６つのチャンネル釦(42)(42)、ＳＣＲ釦(43)、ＰＳＭ釦(44)、ＦＡＶＯＲ釦(45)、ＭＯＤＥ釦(46)、ＳＣＮ釦(47)、ＣＨ／ＣＡＴ釦(48)が設けられている。チャンネルが１００以上あるのに、チャンネル釦(42)(42)が６つしかないのは、受信機本体(４)の小型化に対応する為である。
ＳＣＲ釦(43)は、各チャンネルを一定時間づつ受信しながら、自動選択する際に操作する。ＰＳＭ釦(44)は、プリセットメモリ用の釦であり、チャンネル釦(42)(42)が６つしかないので、メモリできるチャンネルを増やすべく、この釦を設けている。即ち、例えばＰＳＭ釦(44)を１回押せば、１−６ｃｈを選択でき、ＰＳＭ釦(44)を２回押せば、次の７−１２ｃｈを選択できる。ＦＡＶＯＲ釦(45)は、ＰＳＭ釦(44)から独立したプリセットメモリ用の釦であり、ＭＯＤＥ釦(46)は後記の動作モードを選択する際に操作される。ＣＨ／ＣＡＴ釦(48)は、ＣＨモードとＣＡＴモードを切り換える際に操作され、ＣＨモードでは１チャンネルづつアップダウンし、ＣＡＴモードでは、ジャズ・クラシック等の音楽カテゴリ毎にチャンネルを選択する。
【０００８】
図１に示すように、クレードル(２)には第１コネクタ(20)が設けられ、受信機本体(４)には、該第１コネクタ(20)に嵌合する第２コネクタ(50)が配備される。両コネクタ(20)(50)は多数の端子を並べて構成されるが、図１では図示の便宜上、３本の端子しか図示しない。第１コネクタ(20)の端子の中には、後記の如く、クレードル(２)の設置された場所に応じて給電電圧を変える場所判定用端子(３)がある。
個別ＩＤ書込み用、制御プログラム書換え用のクレードル(２b)(２a)には、またパーソナルコンピュータ(以下、「パソコン」と略する)が接続され、該クレードル(２b)(２a)に受信機本体(４)が接続された状態では、パソコンから受信機本体(４)にソフトウエアを読み込むことができる。
図２に示す制御プログラム書換え用のクレードル(２a)には、屋内用、車載用のクレードル(２)にはないプログラム書換え端子(６)が設けられている。該プログラム書換え端子(６)は、第２コネクタ(50)内の嵌合端子(５)に嵌まる。
また、図３に示す個別ＩＤ書込み用のクレードル(２b)には、ＩＤ書込み用の電源端子(21)が設けられ、これは受信機本体(４)に隠された端子に嵌合する。従って、各クレードル(２)が有する端子は、表１に示される。
【０００９】
【表１】
2005101786.tif 000003
但し、受信機本体(４)の第２コネクタ(50)内にて、プログラム書換え端子(６)が嵌まる嵌合端子(５)には、屋内用と車載用のクレードル(２)及び個別ＩＤ書込み用のクレードル(２b)の端子が選択的に嵌まり、場所判定用端子(３)と同じ電圧が供給される。
即ち、１つの嵌合端子(５)にプログラム書換え端子(６)、及び屋内用と車載用のクレードル(２)、個別ＩＤ書込み用のクレードル(２b)の端子が選択的に嵌まることにより、第２コネクタ(50)内の端子の本数を少なくできる。端子の本数が多いと、両コネクタ(20)(50)の挿脱時に摩擦抵抗が大きく、挿脱作業が面倒になるが、本例では端子の本数を減らすことにより、かかる挿脱作業性を改善している。
【００１０】
場所判定用端子(３)からは、各クレードル(２)の設置場所及び動作条件に応じたアナログ電圧が供給される。具体的には、表２に示され、車載用のクレードル(２)の場所判定用端子(３)からは0.31-0.63Ｖの電圧が供給され、屋内用のクレードル(２)の場所判定用端子(３)からは0.63-0.94Ｖの電圧が供給される。即ち、車載用のクレードル(２)と、屋内用のクレードル(２)とでは、場所判定用端子(３)の電圧が異なる。
また、個別ＩＤ書込み用、制御プログラム書換え用のクレードル(２b)(２a)にあっては、夫々場所判定用端子(３)から個別ＩＤを書き込む旨、及び制御プログラムを書き換える旨を示す電圧が供給される。具体的には、個別ＩＤ書込み用のクレードル(２b)の場所判定用端子(３)からは、0.94-1.25Ｖの電圧が供給され、制御プログラム書換え用のクレードル(２a)の場所判定用端子(３)からは、4.38-5.0Ｖの電圧が供給される。動作条件のうち、個別ID書込み時の電圧は通常の受信条件と同じ電圧であり、該受信条件にて特定の操作釦を二重押しすることにより、個別IDを書き込む条件が設定される。これは隠し機能であり、一般のエンドユーザが使用することはない。
【００１１】
【表２】
2005101786.tif 000004
【００１２】
図４は、受信機本体(４)とクレードル(２)(２a)(２b)の内部ブロック図である。エンドユーザが用いる車載用又は屋内用のクレードル(２)の第１コネクタ(20)内には、前記の場所判定用端子(３)の他に、アンテナ端子(30)、電源端子(31)、ＡＵＸ(Auxiliary)入力端子(32)、ＡＦ(アナログオーディオ)出力端子(33)が設けられている。個別ＩＤ書込み用、制御プログラム書換え用のクレードル(２b)(２a)には、この他に夫々ＩＤ書込み電源端子(21)、プログラム書換え端子(６)が前記の如く設けられる。
アンテナ端子(30)からは、前記のＴＤＭ１、ＴＤＭ２と呼ばれる２つのデジタル放送波、及びギャップフィラーとして用いられる地上波が入力され、計３つの放送波は受信機本体(４)内のチャンネル選択手段(80)に入力される。チャンネル選択手段(80)はチューナと同様の機能を有するが、チューナと異なり、オーディオ信号を出力するのではなく、文字情報が多重された圧縮信号を出力する。チャンネル選択手段(80)から出力された信号は、Ａ/Ｄコンバータ(81)にてデジタル信号に変換された後に、デジタルベースバンドチップ(ＤＢＣ)(８)に入力される。  ＤＢＣ(８)では、入力されたデジタル信号に周波数変換、復調及び圧縮信号の伸長、信号分離、前記のデインターリーブを含む誤り訂正を施す。ＤＢＣ(８)内には、また個別ＩＤを格納する周知のＦＵＳＥ−ＲＯＭ(82)が設けられ、個別ＩＤを格納した後に、ＩＤ書込み用電源端子(21)から該ＦＵＳＥ−ＲＯＭ(82)に高電圧を印加することによって、内部のフューズが焼き切られ、書き込まれた個別ＩＤが保持される。フューズを焼き切って書き込むから、個別ＩＤは１回しか書き込むことができない。
【００１３】
ＤＢＣ(８)には、６４ＭビットのＳＤ−ＲＡＭからなる遅延用メモリ(83)が接続され、該遅延用メモリ(83)により、デジタル放送波ＴＤＭ１、ＴＤＭ２のうち時間軸の早いほうが遅延され、他方の放送波及び地上波と重ねられる。ＤＢＣ(８)にはまた、ファームウエア(予め搭載されているソフトウエア)が格納された４ＭビットのフラッシュＲＯＭ(84)が接続されている。ＤＢＣ(８)から出力される音声信号は、Ｄ/Ａコンバータ(85)にてアナログ信号に変換された後に、ボリューム(86)調整されて、ローパスフィルタを具えたアンプ(87)を経て、ＡＦ出力端子(33)から出力される。ボリューム(86)には、またＡＵＸ入力端子(32)から外部音声を入力することもできる。
前記場所判定用端子(３)からの電圧は、受信機本体(４)内の制御マイコン(７)に入力され、該制御マイコン(７)は場所判定用端子(３)から供給される電圧により、クレードル(２)の設置場所を判別する。制御マイコン(７)には、接続端子(75)を介して、赤外線(ＩＲ)受光ユニット(76)、ドライバＩＣ(77)が接続され、該ドライバＩＣ(77)にディスプレイ(40)及び操作釦群が接続される。
【００１４】
制御マイコン(７)を動作させる制御プログラムは、制御マイコン(７)に内蔵されたフラッシュＲＯＭ(図示せず)に格納されている。
受信機本体(４)には、SSIバス端子(９)が設けられ、該SSIバス端子(９)はインターフェイス用ＩＣ(90)を介して、ＤＢＣ(８)に繋がる。個別ＩＤは、SSIバス端子(９)、インターフェイス用ＩＣ(90)を介して、ＤＢＣ(８)内のＦＵＳＥ−ＲＯＭ(82)に書き込まれる。前記の如く、本受信機は、シリウス社の要求する仕様、規格を満たしている必要があり、シリウス社の型式認定を受ける必要がある。SSIバス端子(９)はかかる型式認定の際に、電気的な性能確認を行う際にも用いられ、受信機本体(４)に搭載することが、半ば義務付けられている。従って、エンドユーザがSSIバス端子(９)を用いることはなく、SSIバス端子(９)は一般に、受信機本体(４)の外側から隠れて、エンドユーザから見えない。
【００１５】
図５は、本発明の主要部を示すブロック図である。制御マイコン(７)内には、Ａ/Ｄコンバータ(70)が設けられ、該Ａ/Ｄコンバータ(70)によって場所判定用端子(３)の電圧レベルを測定する。場所判定用端子(３)及び嵌合端子(５)(プログラム書換え端子(６)に接続される)は、ＡＮＤ回路(60)に接続されて、かかる論理積の値も、制御マイコン(７)に入力される。ＡＮＤ回路(60)の嵌合端子(５)側の入力端は、前記表２に示す如く、4.38-5.0Ｖが通電されるとＨｉとなり、4.38Ｖ未満の電圧が給電されると、Ｌｏｗとなる。ＡＮＤ回路(60)の場所判定用端子(３)側の入力端は、電圧が印加されると、Ｈｉになる。即ち、Ｈｉレベルの電圧の約１/４の範囲内で、受信機本体(４)の設置場所を判断している。制御マイコン(７)は、ＡＮＤ回路(60)からの出力がＨｉとなれば、プログラムを書き込む用意をする。
制御マイコン(７)には、マイコンリセット端子(71)が繋がり、該マイコンリセット端子(71)は制御プログラム書換え用のクレードル(２a)に接続されたパソコンによって制御される。
【００１６】
以下に個別ＩＤを書き込む場合、動作状態を設定する場合、制御マイコン(７)のプログラムを書き換える場合、メインテナンス通信を行う場合を説明する。
個別ＩＤを書き込む場合
受信機本体(４)に個別ＩＤを書き込むのは、エンドユーザではなく、放送会社、本例ではシリウス社の型式認定を受けたメーカー等である。個別ＩＤは、型式認定を受けたメーカーがシリウス社に生産枠を申請して確保した番号を使用する。
先ず、受信機本体(４)を個別ＩＤを書き込む専用のクレードル(２b)に設置する。クレードル(２b)は予めパソコンに接続されている。
作業者は、受信機本体(４)の電源釦(41)をＯＮにする。クレードル(２b)の場所判定用端子(３)の電圧は、0.94-1.25Ｖに設定されており、これは通常の受信条件と同じである。
制御マイコン(７)は、ＡＮＤ回路(60)からの出力を検出する。ＡＮＤ回路(60)の嵌合端子(５)側の入力端の電圧は、上記の表２からＬｏｗであり、ＡＮＤ回路(60)からの出力もＬｏｗとなる。制御マイコン(７)はプログラムを書き換えないことを認識する。
【００１７】
制御マイコン(７)は、次に場所判定用端子(３)の電圧をチェックし、通常の受信条件であることを認識する。プログラム及びファームウエアが読み込まれ、音声出力レベル、プリセットメモリ等の初期設定を行う。
作業者はＭＯＤＥ釦(46)を操作して所定の動作モードに設定するとともに、特定の操作釦を二重押しして、個別ＩＤを書き込む条件に設定する。個別ＩＤを書き込む意思を確認するために、ディスプレイ(40)に「ｐａｓｓｗｏｒｄ」の入力を求めるメッセージが表示される。これは、権限のない者が勝手に個別ＩＤを書き込むことができないようにセキュリティをかけているのである。
「ｐａｓｓｗｏｒｄ」が入力されると、クレードル(２b)に接続されたパソコン内の専用ソフトウエアによる制御に切り替わる。SSIバス端子(９)から個別ＩＤが入力されＦＵＳＥ−ＲＯＭ(82)に書き込まれる。ＩＤ書込み用の電源端子(21)からＦＵＳＥ−ＲＯＭ(82)に高電圧が印加されてフューズが焼き切られ、ＦＵＳＥ−ＲＯＭ(82)に再度個別ＩＤを書き込むことはできない。
前記の如く、この個別ＩＤは受信機本体(４)の取扱説明書にも記載され、受信機本体(４)を購入したエンドユーザは、放送会社に個別ＩＤを送り、受信を申し込む。
【００１８】
受信機本体が車内又は屋内かを判断する場合
受信機本体(４)及びクレードル(２)を購入した使用者は、受信機本体(４)を車載用又は屋内用の何れかのクレードル(２)に設置する。制御マイコン(７)は、ＡＮＤ回路(60)からの出力を検出する。ＡＮＤ回路(60)の嵌合端子(５)側の入力端電圧は、上記の表２からＬｏｗであり、ＡＮＤ回路(60)からの出力もＬｏｗとなる。制御マイコン(７)は、プログラムを書き換えないことを認識する。
制御マイコン(７)は、次に場所判定用端子(３)の電圧をチェックする。上記の表２に示す如く、車載用のクレードル(２)と屋内用のクレードル(２)とでは場所判定用端子(３)の電圧が異なるから、受信機本体(４)が車内又は屋内の何れに設置されているかを判断する。プログラム及びファームウエアが読み込まれ、受信機本体(４)の設置場所に応じた音声出力レベル、プリセットメモリ等の初期設定が行われる。ディスプレイ(40)に受信機本体(４)の設置場所に応じたメッセージが表示される。
車両内と部屋内にて、選択的に視聴する場合には、アンプやスピーカ等の再生装置の特性差により、音声信号の出力レベルが異なる場合がある。また、受信機本体(４)の使用場所によって、各チャンネルに記憶させておきたい放送内容が異なる場合もある。更に、車両内と部屋内では、受信状況によって、受信機本体(４)に入力される受信信号のレベルが異なることもある。
本例にあっては、場所判定用端子(３)の電圧をチェックすることにより、受信機本体(４)の設置場所が判る。該設置場所に応じて、受信機本体(４)の入力又は出力条件が自動的に設定される。従って、使い勝手がよくなる。
【００１９】
制御マイコンのプログラムを書き換える場合
放送される内容が、将来更新され、新たなサービスが提供されることが考えられる。例えば、テレマティック放送等が開始することが考えられる。かかる場合は、制御マイコン(７)のプログラム及びフラッシュＲＯＭ(84)内のファームウエアを書き換える必要があり、受信機本体(４)及びクレードル(２)のメーカーはサービスとして対応する必要がある。以下にその手順を示す。
先ず、受信機本体(４)をプログラムを書き換える専用のクレードル(２a)に設置する。クレードル(２a)は予めパソコンに接続されている。
作業者は、受信機本体(４)の電源釦(41)をＯＮにする。クレードル(２a)の場所判定用端子(３)の電圧は、表２の如く、4.35-5.0Ｖに設定されている。
制御マイコン(７)は、ＡＮＤ回路(60)からの出力を検出する。ＡＮＤ回路(60)の嵌合端子(５)側の入力端電圧は、上記の表２からＨｉであり、ＡＮＤ回路(60)からの出力もＨｉとなる。制御マイコン(７)はプログラムを書き換えるべきことを認識する。このように、プログラム書換え端子(６)の電圧と場所判定用端子(３)の電圧との論理積をとることにより、誤ってプログラムが書き換えられることを防止している。
【００２０】
作業者はＭＯＤＥ釦(46)を操作して所定の動作モードに設定する。この動作モードは、個別ＩＤを書き込む際に設定するモードと同じである。このとき特定の操作釦を二重押しして、プログラムを書き換える条件に設定すれば、更にセキュリティを高めることができる。
制御マイコン(７)は、プログラム書換え可能とする為に、制御マイコン(７)内の書換え回路(図示せず)を書換え可能状態に設定する。
パソコンを操作し、パソコンがマイコンリセット端子(71)(図５参照)を一旦Ｌｏｗレベルにすると、制御マイコン(７)のプログラム及びフラッシュＲＯＭ(84)内のファームウエアが、パソコン内の新たなプログラム及びファームウエアに書き換えられる。書き換えが終了すると、初期状態に戻る。
【００２１】
メインテナンスの場合
受信機本体(４)及びクレードル(２)のメーカーは、サービス対応として、受信機本体(４)の通信状態を、クレードル(２b)に接続したパソコンから、調べたい場合がある。かかる場合は、受信機本体(４)を個別ＩＤを書き込むのと同じクレードル(２b)に設置する。クレードル(２b)は予めパソコンに接続されている。
作業者は、受信機本体(４)の電源釦(41)をＯＮにする。クレードル(２b)の場所判定用端子(３)の電圧は、0.94-1.25Ｖに設定されており、これは通常の受信条件と同じである。
制御マイコン(７)は、ＡＮＤ回路(60)からの出力を検出する。ＡＮＤ回路(60)の嵌合端子(５)側の入力端電圧は、上記の表２からＬｏｗであり、ＡＮＤ回路(60)からの出力もＬｏｗとなる。制御マイコン(７)はプログラムを書き換えないことを認識する。
【００２２】
制御マイコン(７)は、次に場所判定用端子(３)の電圧をチェックし、通常の受信条件であることを認識する。プログラム及びファームウエアが読み込まれ、音声出力レベル、プリセットメモリ等の初期設定を行う。
作業者はＭＯＤＥ釦(46)を操作して所定の動作モードに設定するとともに、特定の操作釦を二重押しして、メインテナンス通信、例えばデバッグ用通信、フィールドテストのモニタ、通信記録出力を行うことができる。
【００２３】
１．本例の受信機ユニットにあっては、場所判定用端子(３)の電圧をチェックすることにより、受信機本体(４)の設置場所に応じて、受信機本体(４)の入力又は出力条件が自動的に設定される。従って、使い勝手がよくなる。
２．制御手段は、場所判定用端子(３)からの給電圧とプログラム書換え端子(６)からの給電圧との論理積をとることにより、プログラム書き換えの是非を判断する。このようにして、安全策を講じることにより、制御マイコン(７)内の動作プログラムが不用意に書き換えられる虞れを防いでいる。
３．プログラム書換え端子(６)が嵌まる嵌合端子(５)には、エンドユーザ用のクレードル(２)及び個別ＩＤ書込み用のクレードル(２b)の端子が選択的に嵌まる。これにより、受信機本体(４)及びクレードル(２)(２b)の端子の本数を少なくできる。即ち、個別ＩＤ書込み用のクレードル(２b)の端子が嵌まる端子を、嵌合端子(５)とは別に設けると、端子数が増えるが、本例ではこの虞れはない。端子の本数が多いと、両コネクタ(20)(50)の挿脱時に摩擦抵抗が大きく、挿脱作業が面倒になるが、本例では端子の本数を減らすことにより、かかる挿脱作業性を改善している。
【００２４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、メインテナンスの場合に、場所判定用端子(３)の電圧は、個別ＩＤ書込時と同じであるが、異なる電圧であってもよい。また、本例では、デジタルラジオ放送の受信機を例示したが、これに限らず、データを受信する装置であれば、用途を問わない。例えば、ＢＳ又は地上波デジタルテレビ放送用の受信機であってもよい。
【図面の簡単な説明】
【００２５】
【図１】受信機本体とクレードルを具えた受信機ユニットの斜視図である。
【図２】図１とは別のクレードルの斜視図である。
【図３】図１、図２とは別のクレードルの斜視図である。
【図４】受信機本体とクレードルの内部ブロック図である。
【図５】本発明の主要部を示すブロック図である。
【図６】従来のクレードルと受信機本体を具えた受信機ユニットの斜視図である。
【符号の説明】
【００２６】
(１)  受信機ユニット
(２)  クレードル
(３)  場所判定用端子
(４)  受信機本体
(７)  制御マイコン
【図１】
2005101786.tif 000005
【図２】
2005101786.tif 000006
【図３】
2005101786.tif 000007
【図４】
2005101786.tif 000008
【図５】
2005101786.tif 000009
【図６】
2005101786.tif 000010